(57)【要約】【課題】逆梁構造のコンクリート躯体をもつ集合住宅において、コンクリート躯体上に支持される床構造体の床板の床面のレベル調整を、床下空間から簡単に行なうことができるようにした。【解決手段】床構造体Ｆｒの大引ビーム１０をコンクリート躯体上に支持する床支持手段Ｆｓは、コンクリート躯体の支持面上に支持される一対のレベル調整ボルト１８と、これらに螺合支持されて大引ビーム１０を防振ゴム１７を介して支持する支持板１６と、この支持板１６をレベル調整ボルト１８にロックするロックナット２２とよりなり、ロックナット２２を緩めたのち、レベル調整ボルト１８の下端の頭部１８ｂをスパナＳｐにより回転調節して支持板１６の左右端部を個別に昇降制御することにより、床板１２の床面のレベル調整を行なう。【選択図】      図５
2004339916.tif 000002
【特許請求の範囲】
【請求項１】
コンクリート躯体（Ｆ）の支持面に、床支持手段（Ｆｓ）を介して床構造体（Ｆｒ）を支持してなる、建物の床支持構造において、
前記床支持手段（Ｆｓ）は、
下端に前記支持面上に着座される着座板（２０）を設けた角形状の頭部（１８ｂ）と、その頭部（１８ｂ）から鉛直に延びる雄ねじ部（１８ａ）を有する一対のレベル調整ボルト（１８）と、
両端部に左右張出部（１６ａ）を有して断面ピット状に形成され、前記左右張出部（１６ａ）に前記雄ねじ部（１８ａ）が螺挿される支持板（１６）と、
前記支持板（１６）上に支持される防振ゴム（１７）と、
前記一対のレベル調整ボルト（１８）の雄ねじ部（１８ａ）にそれぞれ螺挿されて、前記支持板（１６）を調整位置にロックするロックナット（２２）と、
を備え、前記支持板（１６）上には、防振ゴム（１７）を介して、前記床構造体（Ｆｒ）の大引ビーム（１０）が支持され、前記レベル調整ボルト（１８）は、その下端の頭部（１８ｂ）に工具を係合することにより回転操作可能であり、前記支持板（１６）の左右張出部（１６ａ）を個別に上下位置調整できるようにしたことを特徴とする、建物の床支持構造。
【請求項２】
コンクリート躯体（Ｆ）の支持面に、床支持手段（Ｆｓ）を介して床構造体（Ｆｒ）を支持してなる、建物の床支持構造において、
前記床支持手段（Ｆｓ）は、
前記支持面上に固定することなく着座される一対の着座板（１２０）と、
下端に着座板（１２０）が首振り回動自在に連結され、その着座板（１２０）に近づけて角形状の頭部（１１８ｂ）を有すると共にこの頭部（１１８ｂ）から鉛直に延びる雄ねじ部（１１８ａ）を有する一対のレベル調整ボルト（１１８）と、
両端部に左右張出部（１６ａ）を有して断面ピット状に形成され、前記左右張出部（１６ａ）に前記雄ねじ部（１８ａ）が螺挿される支持板（１６）と、
前記支持板（１６）上に支持される防振ゴム（１７）と、
前記一対のレベル調整ボルト（１１８）の雄ねじ部（１１８ａ）にそれぞれ螺挿されて、前記支持板（１６）を調整位置にロックするロックナット（２２）と、
を備え、
前記支持板（１６）上には、防振ゴム（１７）を介して、前記床構造体（Ｆｒ）の大引ビーム（１０）が支持され、前記レベル調整ボルト（１１８）は、その下端の頭部（１１８ｂ）に工具を係合することにより回転操作可能であり、前記支持板（１６）の左右張出部（１６ａ）を個別に上下位置調整できるようにしたことを特徴とする、建物の床支持構造。
【請求項３】
前記一対のレベル調整ボルト（１８，１１８）は、その下端の着座板（２０，１２０）が、コンクリート躯体（Ｆ）の支持面上に固定されることなく着座され、また、前記防振ゴム（１７）上には、大引ビーム（１０）が固定されることなく支持されることを特徴とする、前記請求項１または２記載の建物の床支持構造。
【発明の詳細な説明】
【０００１】
【発明の属する技術分野】
本発明は、マンションなどの建物の床支持構造に関し、特に、床面のレベル調整操作を床下から簡単に行なうことができ、さらに、床構造体の大引ビームに対してそれよりも耐用年数の短い、床支持手段の構成部品の交換、メンテナンスを簡単、容易に行なうことができるようにした、新規な、建物の床支持構造に関するものである。
【０００２】
【従来の技術】
従来、マンションなどのコンクリート躯体をもつ建物では、コンクリート躯体の床支持面上に、複数本の大引ビームと、その上に根太を介して敷設される床板よりなる床構造体を、床支持部材を介して支持するようにしている（たとえば、特許文献１参照）。
【０００３】
【特許文献１】
特許第２８５５４９１号公報
【０００４】
【発明が解決しようとする課題】
ところで、前記床構造体の床面のレベルは、長期にわたり水平度を精度よく維持する必要があるが、床構造体の経年変化、地震などに起因して、その水平度を維持できなくなることがある。
【０００５】
そこで、前記床支持部材に床面の水平度を復元すべく、レベル調整機構を付設したものが提案されている。
【０００６】
ところが、この床支持部材は、床下に設けられていることから、床面のレベル調整作業を行なうに当たっては、狭隘な床下で行なうのが困難なことから、床板を撤去して行なうのが通例であり、その結果、床面のレベル調整コストが嵩むという問題がある。
【０００７】
また、前記床構造体の主たる部分を構成する複数の大引ビームは、防錆性のある亜鉛鉄板により構成されていて耐用年数が長いのに対し、それを支持する床支持部材は、ボルト・ナットや、ゴムなどの緩衝材などの部品を備えていることから床支持部材の耐用年数は、大引ビームに比べて短いにもかかわらず、従来のように大引ビームと床支持部材とが分離できない構造となっているものでは、大引ビームは未だ十分な耐用年数が存するにもかかわらず、その取替を余儀なくされて、建物をリフォームするなどの際に、コスト増を招くばかりでなく資源を浪費するという問題もある。
【０００８】
本発明はかかる実情に鑑みてなされたもので、床面のレベル調整を、床下から簡単に行なうことができると共に耐用年数の長い大引ビームを長期にわたり有効に利用できるようにして、前記問題を解決できるようにした、新規な建物の床支持構造を提供することを目的とするものである。
【０００９】
【課題を解決するための手段】
前記目的達成のため、請求項１記載の発明は、コンクリート躯体の支持面に、床支持手段を介して床構造体を支持してなる、建物の床支持構造において、前記床支持手段は、下端に前記支持面上に着座される着座板を設けた角形状の頭部と、その頭部から鉛直に延びる雄ねじ部を有する一対のレベル調整ボルトと、両端部に左右張出部を有して断面ピット状に形成され、前記左右張出部に前記雄ねじ部が螺挿される支持板と、前記支持板上に支持される防振ゴムと、前記一対のレベル調整ボルトの雄ねじ部にそれぞれ螺挿されて、前記支持板を調整位置にロックするロックナットとを備え、前記支持板上には、防振ゴムを介して、前記床構造体の大引ビームが支持され、前記レベル調整ボルトは、その下端の頭部に工具を係合することにより回転操作可能であり、前記支持板の左右張出部を個別に上下位置調整できるようにしたことを特徴としており、かかる特徴によれば、床板を撤去することなく、作業者は床下空間にて床面のレベル調整を簡単容易に行なうことができる。
【００１０】
また、前記目的達成のため、請求項２記載の発明は、コンクリート躯体の支持面に、床支持手段を介して床構造体を支持してなる、建物の床支持構造において、前記床支持手段は、前記支持面上に固定することなく着座される一対の着座板と、下端に着座板が首振り回動自在に連結され、その着座板に近づけて角形状の頭部を有すると共にこの頭部から鉛直に延びる雄ねじ部を有する一対のレベル調整ボルトと、両端部に左右張出部を有して断面ピット状に形成され、前記左右張出部に前記雄ねじ部が螺挿される支持板と、前記支持板上に支持される防振ゴムと、前記一対のレベル調整ボルトの雄ねじ部にそれぞれ螺挿されて、前記支持板を調整位置にロックするロックナットと、を備え、前記支持板上には、防振ゴムを介して、前記床構造体の大引ビームが支持され、前記レベル調整ボルトは、その下端の頭部に工具を係合することにより回転操作可能であり、前記支持板の左右張出部を個別に上下位置調整できるようにしたことを特徴としおり、かかる特徴によれば、床板を撤去することなく、作業者は床下空間にて床面のレベル調整を簡単容易に行なうことができ、その上、レベル調整ボルトは、着座板に対して相対的に首振り回動可能であることから、該レベル調整ボルトの回転負荷を軽減することができる。
【００１１】
さらに、前記目的達成のため、請求項３記載の発明は、前記請求項１または２記載のものにおいて、前記一対のレベル調整ボルトは、その下端の着座板が、コンクリート躯体の支持面上に固定されることなく着座され、また、前記防振ゴム上には、大引ビームが固定されることなく支持されることを特徴としており、かかる特徴によれば、耐用年数の長い大引ビームをそのままにして、それよりも耐用年数の短い床支持手段の部品交換を可能にし、建物のリフォームなどに際して、そのコストを低減することができ、また、省資源化に寄与することができる。
【００１２】
【発明の実施の形態】
以下、本発明の実施の形態を、添付図面に示した本発明の実施例に基づいて説明する。
【００１３】
まず、図１〜９を参照して、本発明の第１実施例について説明するに、この第１実施例は、本発明の床支持構造を逆梁構造を備えた集合住宅に実施した場合であり、図１は、集合住宅の一部破断平面図、図２は、図１の２−２線に沿う断面図、図３は、図１の３−３線に沿う拡大断面図、図４は、図３の４−４線に沿う拡大断面図、図５は、図３の５矢視仮想線囲い部分の拡大図、図６は、図５の６−６線に沿う拡大断面図、図７は、大引ビームの支持部の斜視図、図８は、大引ビーム支持部の分解縦断面図、図９は、床構造体をのレベル調整をしている状態を示す図である。
【００１４】
図１，２において、集合住宅の骨格を構成する、逆梁構造のコンクリート躯体Ｆは、水平方向に延びて、建物を複数の階層に区画する水平躯体部分Ｆｈと、鉛直方向に延びて上下の水平躯体部分Ｆｈを相互に連結する鉛直躯体部分Ｆｖを備えている。
【００１５】
水平躯体部分Ｆｈにより仕切られる各階層には、複数戸の住宅空間Ｈが並設され、各住宅空間Ｈは、その四隅にそれぞれ立設されて上下の床スラブＳｆ，Ｓｆを結合する躯体柱１と、対向する躯体柱１，１間を一体に結合する、躯体外壁２および躯体隔壁（耐力壁）３により仕切られる。
【００１６】
水平躯体部分Ｆｈを構成する床スラブＳｆには、各住宅空間Ｈの床下空間Ｈｄを区画する縦、横の逆大梁５Ｌ，５Ｔが床スラブＳｆから上向きに一体に突設されており、これらの縦、横の逆大梁５Ｌ，５Ｔ上に、躯体隔壁３および躯体外壁２の下端が一体に結合され、またそれらの逆大梁５Ｌ，５Ｔは住宅空間Ｈの四隅に位置する躯体柱１に一体に結合される。
【００１７】
各住宅空間Ｈにおいて、床スラブＳｆ上には、前記逆大梁５Ｌ，５Ｔよりも低い縦、横の逆小梁６Ｌ，６Ｔが上向きに一体に突設され、これらの縦、横の逆小梁６Ｌ，６Ｔは互いに交差して、それらの端部は、横、縦の逆大梁５Ｔ，５Ｌの中間部にそれぞれ一体に連結されている。
【００１８】
図１に示すように、並列する複数戸の住宅空間Ｈの一方の躯体外壁２（図１、左側）の外側には、通路７が構築され、またそれらの他方の躯体外壁２（図１、右側）の外側には、ベランダ８が構築され、通路７およびベランダ８と略平行な横方向の逆小梁６Ｔは、ベランダ８より通路７側に若干近づけられていて、各住宅空間Ｈには、ベランダ８側に偏らせて広い面積の水回り空間を占有できるようになっている。また、図３に示すように、外気に対面する側、すなわち、通路７側およびベランダ８側の、横の逆大梁５Ｔの内面には、断熱材としての発泡ウレタン９が設けられる。
【００１９】
各住宅空間Ｈの縦横の逆大梁５Ｌ，５Ｔと、縦横の逆小梁６Ｌ，６Ｔ間には、床構造体Ｆｒが支持され、この床構造体Ｆｒにより、住宅空間Ｈは、床下空間（物入れ空間）Ｈｄと、床上空間（居住空間）Ｈｕとに画成される。
【００２０】
前記床構造体Ｆｒは、通常のように複数本の大引ビーム１０と、それらの上にそれらと直交して緩衝材１５を介して支持される複数本の根太１１と、それらの根太１１上に敷設される木質系のフローリング板などよりなる床板１２とより一体的に構成され、該床板１２は、下地材上に仕上材を一体に積層して構成され、また前記大引ビームは、防錆性の亜鉛鉄板により断面Σ状に形成されている。
【００２１】
図１に示すように、各住宅空間Ｈは平面長方形状に形成され、その長手方向と直交する方向、すなわち該住宅空間Ｈの幅方向において、縦の逆大梁５Ｌと縦の逆小梁６Ｌとの比較的短いスパン間に、複数本の大引ビーム１０がそれぞれ橋架支持される。図２に示すように、縦の逆大梁５Ｌの側部には、逆小梁６Ｌ，６Ｔと略同じレベルの打増部すなわち床支持部１４が段状に一体に成形（縦の逆大梁５Ｌの型枠による成形時に同時に一体成形）され、この床支持部１４と縦の逆小梁６Ｌの上面との間に、複数本の前記大引ビーム１０の端部が、本発明にかかる床支持手段Ｆｓを介してフローティング支持される。
【００２２】
この床支持手段Ｆｓは、図７，８に明瞭に示すように、ピット状に折り曲げ成形される、亜鉛鉄板製の支持板１６と、断面凹状の防振ゴム１７と、一対のレベル調整ボルト１８，１８と、それらのレベル調整ボルト１８，１８にそれぞれ螺挿される一対のロックナット２２，２２とより構成されている。前記支持板１６は、左右両側に略水平に張出す張出部１６ａ，１６ａを有し、これらの張出部１６ａ，１６ａには、前記レベル調整ボルト１８，１８が貫通し得るボルト孔１６ａ，１６ａが穿設されると共にそれらの下面に該ボルト孔１６ａ，１６ａと同心であり、レベル調整ボルト１８，１８の螺挿されるウエルドナット１９，１９が溶接されている。
【００２３】
また、前記支持板１６の凹部には、前記防振ゴム１７が多少の締代を以て着座嵌合され、その際に、それらは一体に接合されることがない。また、前記一対のレベル調整ボルト１８，１８は、その下端の頭部１８ａ，１８ａが六角形状に形成され、その頭部１８ａ，１８ａの下面に円形の着座板２０，２０がそれぞれ溶接され、その着座板２０，２０の下面に円盤状の緩衝ゴム２１，２１が接着されている
つぎに、この床支持手段Ｆｓを用いて、大引ビーム１０をコンクリート躯体Ｆの支持面、すなわち打増部１４もしくは縦逆小梁６Ｌ上に支持する手順について説明する。
【００２４】
一対のレベル調整ボルト１８，１８の雄ねじ部１８ａ，１８ａを、一対のウエルドナット１９，１９に螺挿すると共にボルト孔１６ｂ，１６ｂを貫通させることにより、支持板１６の左右張出部１６ａ，１６ａに、一対のレベル調整ボルト１８，１８の雄ねじ部１８ａ，１８ａをそれぞれ螺挿し、左右張出部１６ａ，１６ａより突出する雄ねじ部１８ａ，１８ａの自由端に、ロックナット２２，２２を螺締する。これにより支持板１６は、一対のレベル調整ボルト１８，１８により固定される。
【００２５】
つぎに、一対のレベル調整ボルト１８，１８の着座板２０，２０を、緩衝ゴム２１，２１を介してコンクリート躯体Ｆの支持面上に着座させる。このとき、レベル調整ボルト１８，１８は、コンクリート躯体の支持面すなわち打増部１４もしくは縦逆小梁６Ｔ上に固定しない。したがって、一対のレベル調整ボルト１８，１８は、コンクリート躯体Ｆの支持面に対して自由な横移動が可能であり、また支持板１６の底面は、コンクリート躯体Ｆとの間に隙間が形成されていて該コンクリート躯体Ｆと接触することがない。支持板１６の凹部には、前記防振ゴム１７が固定されることなく密に嵌着され、この防振ゴム１７上に、大引ビーム１０の下面が固定されることなく支持される。したがって、床支持手段Ｆｓを構成する支持板１６、一対のレベル調整ボルト１８，１８、一対のロックナット２２２，２２および防振ゴム１７は、いずれも互いに固定されることがなく、それらは自由に分離可能である。
【００２６】
複数の大引ビーム上には、緩衝材１５を介して、これらと直交して複数の根太が載置され、これらの根太１１上に床板１２が敷設される。
【００２７】
しかして、床板１２が根太１１、大引ビーム１０および床支持手段Ｆｓを介して支持されている状態において、床板１２の床面のレベル調整を行なうには、まず、各床支持手段Ｆｓの一対のロックナット２２，２２をスパナなどの工具Ｓｐを用いて緩み方向にそれぞれ回転して、支持板１６に左右張出部１６ａ，１６ａの下面から離したのち、図５，６および９に示すように、一対のレベル調整ボルト１８，１８の下端の六角形状頭部１８ｂ，１８ｂをスパナなどの工具Ｓｐにより左あるいは右方向に回転すれば、一対のレベル調整ボルト１８，１８に螺合されている支持板１６の左右張出部１６ａ，１６ａを個別に昇降調整することができ、支持板１６上に支持される大引ビーム１０の上下動調整を個別に行なうことができ、複数の大引ビーム１０上に支持される床板１２の床面のレベル調整を行なうことができ、該床板１２の傾きを修正することができる。そして床板１２の床面のレベル調整終了後、一対のロックナット２２，２２を螺締すれば、床板１２を所期のレベル位置に固定することができる。
【００２８】
ところで、この第１実施例によれば、図５、９に示すように、一対のレベル調整ボルト１８，１８およびロックナット２２，２２の回転操作は、床板１２を外さずに、床下空間Ｈｄに下りた作業者がスパナＳｐなどの工具を用いて行なうことができ、従来行なっていた床板１２の撤去作業をしないで済むので、床板１２の床面のレベル調整作業が容易になる。特に、この実施例のように、逆梁構造のコンクリート躯体Ｆを備えた建物では、床下空間Ｈｄの高さを高く（約６０ｃｍ）とることができることから、前記レベル調整作業が一層容易になる。
【００２９】
また、床支持手段Ｆｓの各構成部品は、図８に示すように、それぞれ分離可能であり、しかも大引ビーム１０およびコンクリート躯体Ｆの支持面からも分離可能であることから耐用年数の長い大引ビーム１０を残したまま、それよりも耐用年数の短い床支持手段Ｆｓの各構成部品、たとえば防振ゴム１７、レベル調整ボルト１８，１８などの交換を行なうことができ、建物をリフォ−ムするときなどのコストダウンと省資源化に寄与することができる。
【００３０】
つぎに、図１０，１１を参照して、本発明の第２実施例について説明するに、図１０は、大引ビーム支持部の断面図、図１１は、図１０の１１−１１線に沿う断面図であり、前記第１実施例と同じ要素には同じ符号が付される。
【００３１】
この第２実施例は、レベル調整ボルト１１８および着座板１２０の構造が前記第１実施例のものと相違しているが、他の構成は、前記第１実施例のものと同じである。図１１に明瞭に示すように、レベル調整ボルト１１８は、鉛直方向に延びる雄ねじ部１１８ａと、その下部の頭部１１８ｂと、さらにその下部の、膨大部１１８ｄを有する係合部１１８ｃが一体に形成され、この係合部１１８ｃは円盤状の着座板１２０の中心孔１２０ａに遊嵌され、膨大部１１８ｄは、前記中心孔１２０ａよりも大きい。これにより、レベル調整ボルト１１８は、その下端の係合部１１８ｃに着座板１２０が、抜け落ちることなく首振り回動可能に連結される。着座板１２０の下面には緩衝ゴム１２１接着され、この緩衝ゴムの中心に開口した貫通孔１２１ａに、レベル調整ボルト１１８下端の膨大部１１８ｄが収容される。
【００３２】
しかして、この第２実施例では、床板１２の床面のレベル調整を行なうには、前記第１実施例と同じく、各床支持手段Ｆｓの一対のロックナット２２，２２をスパナなどの工具Ｓｐを用いて緩み方向にそれぞれ回転して、支持板１６に左右張出部１６ａ，１６ａの下面から離したのち、一対のレベル調整ボルト１１８，１１８の下端の六角形状頭部１１８ｂ，１１８ｂをスパナなどの工具Ｓｐにより左あるいは右方向に回転すれば、一対のレベル調整ボルト１１８，１１８に螺合されている支持板１６の左右張出部１６ａ，１６ａを個別に昇降調整することができ、支持板１６上に支持される大引ビーム１０の上下動調整を個別に行なうことができる。
【００３３】
しかして、この第２実施例によれば、各レベル調整ボルト１１８の下端に着座板１２０が首振り回動可能に連結されていることから、着座板１２０の回転を伴うことなくレベル調整ボルト１１８の回転操作を行なうこたができ、その操作を抵抗少なく円滑に行なうことができ、その操作性が良い。
【００３４】
以上、本発明の実施例について説明したが、本発明はその実施例に限定されることなく、本発明の範囲内で種々の実施例が可能である。
【００３５】
たとえば、前記実施例では、レベル調整ボルトの頭部を六角状に形成しているが、これをスパナなどの工具が係合可能な、他の多角形状に形成してもよく、また、前記実施例では、着座板は、円盤状の形成されるが、これを多角盤その他の形状に形成してもよい。
【００３６】
【発明の効果】
以上のように、請求項１記載の発明によれば、床板を撤去することなく、作業者は床下空間にて床面のレベル調整を簡単容易に行なうことができる。
【００３７】
また、請求項２記載の発明によれば、床板を撤去することなく、作業者は床下空間にて床面のレベル調整を簡単容易に行なうことができ、特に、そのレベル調整を、着座板を回転せずに抵抗少なく行なうことができ、その操作性を良くすることができる。
【００３８】
さらに、請求項３記載の発明によれば、耐用年数の長い大引ビームをそのままにして、それよりも耐用年数の短い床支持手段の部品交換を可能にし、建物のリフォームなどに際して、そのコストを低減することができ、また、省資源化に寄与することができる。
【図面の簡単な説明】
【図１】集合住宅の一部破断平面図（第１実施例）
【図２】図１の２−２線に沿う断面図（第１実施例）
【図３】図１の３−３線に沿う拡大断面図（第１実施例）
【図４】図３の４−４線に沿う拡大断面図（第１実施例）
【図５】図３の５矢視仮想線囲い部分の拡大図（第１実施例）
【図６】図５の６−６線に沿う拡大断面図（第１実施例）
【図７】大引ビームの支持部の斜視図（第１実施例）
【図８】大引ビーム支持部の分解縦断面図（第１実施例）
【図９】床構造体をレベル調整をしている状態を示す図（第１実施例）
【図１０】大引ビーム支持部の断面図（第２実施例）
【図１１】図１０の１１−１１線に沿う断面図（第２実施例）
【符号の説明】
１０・・・・・・・・・・大引ビーム
１６・・・・・・・・・・支持板
１６ａ・・・・・・・・・張出部
１６ｂ・・・・・・・・・雌ねじ孔
１７・・・・・・・・・・防振ゴム
１８，１１８・・・・・・レベル調整ボルト
１８ａ，１１８ａ・・・・雄ねじ部
１８ｂ，１１８ｂ・・・・頭部
２２・・・・・・・・・・ロックナット
２０，１２０・・・・・・着座板
Ｆ・・・・・・・・・・・コンクリート躯体
Ｆｒ・・・・・・・・・・床構造体
Ｆｓ・・・・・・・・・・床支持手段
【図１】
2004339916.tif 000003
【図２】
2004339916.tif 000004
【図３】
2004339916.tif 000005
【図４】
2004339916.tif 000006
【図５】
2004339916.tif 000007
【図６】
2004339916.tif 000008
【図７】
2004339916.tif 000009
【図８】
2004339916.tif 000010
【図９】
2004339916.tif 000011
【図１０】
2004339916.tif 000012
【図１１】
2004339916.tif 000013